(57)【要約】【課題】使い勝手を配慮した上でコンパクト化を可能とし、狭い部屋でも一側面がダイニング側に面するキッチン設置ができるキッチンコーナーキャビネットを提供する。【解決手段】一側面がダイニング側６に面して配設されるコーナーキャビネット１のキッチン側７の前面を化粧部材１ｅで閉塞し、ダイニング側６の前面からキャビネット内に物品を収納する構造とする。【選択図】  図１
2004313592.tif 000002
【特許請求の範囲】
【請求項１】
一側面がダイニング側に面して配設されるキャビネットであって、このキャビネットのキッチン側の前面を閉塞し、ダイニング側の前面からキャビネット内に物品を収納するキッチンコーナーキャビネット。
【請求項２】
キッチン側の前面を、角棒状の化粧部材で閉塞してなる請求項１記載のキッチンコーナーキャビネット。
【請求項３】
一側面がダイニング側に面して配設され、ダイニング側の前面からキャビネット内に物品を収納するダイニング側キャビネットと、このダイニング側キャビネットのキッチン側に隣接して配設され、キッチン側の前面の一部に扉を設けたキッチン側キャビネットとからなるキッチンコーナーキャビネット。
【請求項４】
平面視Ｌ型のワークトップの下に複数のキャビネットが配列され、上記ワークトップの入隅部に請求項１〜請求項３のいずれかに記載のキッチンコーナーキャビネットを配設してなるシステムキッチン。
【発明の詳細な説明】
【０００１】
【発明の属する技術分野】
本発明は、一側面がダイニング側に面して配設される設置方式のキッチンに使用するキッチンコーナーキャビネット及びこれを備えるシステムキッチンに関する。
【０００２】
【従来の技術】
図３に示すように、平面視Ｌ型のワークトップ（図示省略）下の入隅部分に配置されるコーナーキャビネット１３として、キッチン側７の前面に設けた扉１３ｂ，１３ｂを開けて開口部１３ａからキャビネット内に収納物を出し入れする構造のもの、又、キャビネットの開口部１３ａの対角線上にあるキャビネット内の角部１３ｄは開口部１３ａからの奥行きが深く収納物が取り出しにくいため、キャビネット前面側の開口部１３ａの開口幅を大きく設けるようにしたものや、キャビネット内に回転かご１４を設ける構造としたものがある（例えば、特許文献１参照）。
上記のようなコーナーキャビネット１３の構造は、図示は省略したが図３中に示すシンクキャビネット３、コンロキャビネット４及びコーナーキャビネット１３のそれぞれの背面を壁５に沿って配設する設置方式のキッチンに限らず、図３に示す設置方式のように、キッチン側７とダイニング側６とがシンクキャビネット３及びコーナーキャビネット１３とで仕切られ、シンクキャビネット３及びコーナーキャビネット１３の一側面（背面側）がダイニング側６に面して配設する方式のキッチンにおいても同じ構造が採られている。
【０００３】
【特許文献１】
特開２００２−１５３３３８号公報（第１−３頁、図４）
【０００４】
しかし、従来の技術で述べたコーナーキャビネット１３のキャビネット内に回転かご１４を設ける方式のものでは、回転かご部分以外には収納物が入れられないためキャビネット内に多くのデッドスペースが発生し、また、回転かごからキャビネット内奥の角部に落下した収納物が取り出しにくい等、収納物の出し入れのし易さという観点からは使い勝手が悪く、本発明者らはコーナーキャビネットの収納物の出し入れをし易くするために図３に示すようにダイニング側６にも扉１３ｃを設けることも検討したが、キッチン側７とダイニング側６の両面に扉を設ける方法は収納物が取り出しにくい点での問題は解消するものの、本発明で目的とするコーナーキャビネットのコンパクト化ができないという問題があった。
【０００５】
【発明が解決しようとする課題】
本発明は、使い勝手を配慮しつつコンパクト化を可能として、狭い部屋でも背面側がダイニング側に面する設置方式ができるキッチンコーナーキャビネット及びこのキッチンコーナーキャビネットを備えるシステムキッチンを提供しようとするものである。
【０００６】
【課題を解決するための手段】
本発明は次のものに関する。
（１）一側面がダイニング側に面して配設されるキャビネットであって、このキャビネットのキッチン側の前面を閉塞し、ダイニング側の前面からキャビネット内に物品を収納するキッチンコーナーキャビネット。
（２）キッチン側の前面を、角棒状の化粧部材で閉塞してなる上記（１）記載のキッチンコーナーキャビネット。
（３）一側面がダイニング側に面して配設され、ダイニング側の前面からキャビネット内に物品を収納するダイニング側キャビネットと、このダイニング側キャビネットのキッチン側に隣接して配設され、キッチン側の前面の一部に扉を設けたキッチン側キャビネットとからなるキッチンコーナーキャビネット。
（４）平面視Ｌ型のワークトップの下に複数のキャビネットが配列され、上記ワークトップの入隅部に上記（１）〜（３）のいずれかに記載のキッチンコーナーキャビネットを配設してなるシステムキッチン。
【０００７】
【作用】
キャビネットのキッチン側の前面は閉塞して、ダイニング側の前面からキャビネット内に物品を収納するコーナーキャビネットの場合、キッチン側にはキャビネット内に物品を収納するための開口部寸法の確保が不要となるため、この分だけコンパクト化したキャビネット設計ができる。
加えて、ダイニング側に面する前面は、キャビネット幅略全体の開口幅が確保できるため、キャビネット内にデッドスペースを生じることなく大きな物品の収納も可能となる。
また、一側面がダイニング側に面して配設され、ダイニング側の前面からキャビネット内に物品を収納するダイニング側キャビネットと、ダイニング側キャビネットのキッチン側に隣接して配設され、キッチン側の前面の一部に扉を設けたキッチン側キャビネットとの、二つのキャビネットを組み合わせて構成するコーナーキャビネットの場合は、キッチンキャビネットを設置する部屋の広さに応じて適宜採用することにより、キッチン側からも前面の一部に扉を設けたキッチン側キャビネット内に物品を収納したりその他の目的に使用することが可能となり、また、ダイニング側キャビネット及びキッチン側キャビネット両方とも専用設計を施すことなく従来のキャビネットとほぼ同様の構造で対応することができコスト面で有利となる。
【０００８】
【発明の実施の形態】
以下、本発明の実施の形態を図１及び図２を参照して具体的に説明する。
図１は本発明の一実施形態によるコーナーキャビネットを組み込んだキッチンの平面図（ワークトップを外した状態）であり、図２は別の実施形態によるコーナーキャビネットを組み込んだ平面図（ワークトップを外した状態）である。
【０００９】
（実施の形態１）
図１において、シンク３ａ及びコンロ４ａ（図中二点鎖線で示す）が設けられる平面視Ｌ型のワークトップ（図示省略）の入隅部の下にコーナーキャビネット１、ダンニング側６に位置するワークトップ下にシンクキャビネット３、キッチン側７に位置するワークトップ下にコンロキャビネット４がＬ形に配設される。コーナーキャビネット１は、ダイニング側６に面する開口部１ａに扉１ｂ，１ｂを観音開き式に設け、キッチン側７に面する角部には角棒状の化粧部材１ｅを設けて、キッチン側７に面する部分の前面は化粧部材１ｅで覆われ閉塞する構造としてキッチン側７は開口しない形状のキャビネットとした。
コーナーキャビネット１のキッチン側７前面には開口部が不要であるため、その幅寸法は、コーナーキャビネット１に隣接する左右のシンクキャビネット３及びコンロキャビネット４の扉３ｃ，４ｂの開閉に支障を来たさない最小寸法に設定した。
この実施の形態では、コーナーキャビネット１の背板１ｄの幅寸法をコンロキャビネット４の奥行き寸法と合せ、側板１ｃの奥行き寸法をシンクキャビネット３の奥行きと合せて、キッチン側７の前面に前記の化粧部材１ｅを設けた。
コーナーキャビネット１のダイニング６側に面する部分は、キャビネット幅略全体を開口する開口部１ａとした。
なお、実施の形態では、コーナーキャビネット１のダイニング６側に面する部分の扉１ｂを観音開きとしたが、折れ戸、引出し、跳ね上げ扉や引き戸としてもよい。
また、コーナーキャビネット１のキャビネット内部の有効な収納スペース２を更に使いやすくする手段として、棚や引出しを付けるなど一般的なキャビネットと同様の仕様にすることができ、また、ワゴンを組み込むことも可能である。
【００１０】
（実施の形態２）
図２において、この実施の形態では、コーナーキャビネット１２を、ダイニング側キャビネット８とキッチン側キャビネット１０との２つのキャビネットの組み合わせで構成し、このコーナーキャビネット１２をワークトップ（図示省略）下の入隅部（コーナー部）に組み込む構成とした。
ダイニング側６の前面からキャビネット内に物品を収納するダイニング側キャビネット８は、ダイニング側６に面する前面の開口部８ａに扉８ｂを設け、このダイニング側キャビネット８のキッチン側（コンロキャビネット４側）に隣接して配設するキッチン側キャビネット１０には、キッチン側７の前面の一部に扉１０ｂを設けた。
図２に示すように、キッチン側キャビット１０は前面の右側部分がシンクキャビネット３の奥行き部分に重なるように配設され、キッチン側７の空間に臨む前面の開口部１０ａに扉１０ｂが設けられる。
なお、実施の形態１でのコーナーキャビネッ１トは専用の設計を施したが、この実施の形態２でのコーナーキャビネット１２は、従来構造のキャビネットを組み合せて対応した。
キッチン側キャビネット１０は、収納物を正面（前面）からのみ出し入れし、隣接するシンクキャビネット３の扉３ｃの開閉に支障を来たさない奥行きを側板１０ｄにとって、前面の右側部分をシンクキャビネット３側に嵌合させている。なお、キッチン側キャビネット１０は、従来のコーナーキャビネットのようにキャビネット奥のものを取り出すための引出しなどの工夫を施さないシンプルな構造とし、且つ、収納物の出し入れに不具合を生じない一般的な使い勝手のキャビネットとした。
一方、ダイニング６側にのみ開口部８ａを設けたダイニング側キャビネット８は、キッチン側キャビネット１０の側板１０ｄの奥行き寸法に幅を合わせており、その構造は正面使いのみの一般的なキャビネットとした。
なお、実施形態では観音開きとしたが、折れ戸、引出し、跳ね上げ扉や引き戸としてもよい。
【００１１】
【発明の効果】
本発明の請求項１記載のキッチンコーナーキャビネットによれば、一側面がダイニング側に面して配設されるキャビネットであって、このキャビネットのキッチン側の前面を閉塞し、ダイニング側の前面からキャビネット内に物品を収納する構成としており、キッチン側にはキャビネット内に物品を収納するための開口部寸法の確保が不要となるためこの分だけコンパクト化したキャビネット設計ができ、狭い部屋でも調理する人がキッチンを介してダイニング側と対面できるキッチン配置が可能となる。
【００１２】
また、請求項３記載の一側面がダイニング側に面して配設され、ダイニング側の前面からキャビネット内に物品を収納するダイニング側キャビネットと、このダイニング側キャビネットのキッチン側に隣接して配設され、キッチン側の前面の一部に扉を設けたキッチン側キャビネットとの二つのキャビネットからなるキッチンコーナーキャビネットによれば、請求項１による効果に加え、コーナーキャビネットを従来のキャビネット構造で容易に実現可能で、また、特殊な部品も発生せずコスト面で有利となる。
【図面の簡単な説明】
【図１】本発明の一実施形態によるコーナーキャビネットを組み込んだキッチンの平面図（ワークトップを外した状態）である。
【図２】本発明の別の実施形態によるコーナーキャビネットを組み込んだキッチンの平面図（ワークトップを外した状態）である。
【図３】従来例によるコーナーキャビネットを組み込んだがキッチンの平面図（ワークトップを外した状態）である。
【符号の説明】
１  コーナーキャビネット            １ａ  開口部
１ｂ  扉                              １ｃ  側板
１ｄ  背板                            １ｅ  化粧部材
２  収納スペース                      ３  シンクキャビネット
３ａ  シンク                          ３ｂ  扉（ダイニング側）
３ｃ  扉（キッチン側）                  ４  コンロキャビネット
４ａ  コンロ                          ４ｂ  扉
５  壁                                ６  ダイニング側
７  キッチン側                        ８  キッチン側キャビネット
８ａ  開口部                          ８ｂ  扉
８ｃ  側板                            ８ｄ  背板
９  収納スペース                    １０  ダイニング側キャビネット
１０ａ  開口部                        １０ｂ  扉
１０ｃ  側板（コンロ側）              １０ｄ  側板
１０ｅ  背板                            １１  収納スペース
１２  コーナーキャビネット
１３  コーナーキャビネット          １３ａ  開口部
１３ｂ  扉                            １３ｃ  扉
１３ｄ  角部                            １４  回転かご
【図１】
2004313592.tif 000003
【図２】
2004313592.tif 000004
【図３】
2004313592.tif 000005